【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
前記通信デバイス付近の前記他の少なくとも１つの通信デバイスによってＤ２Ｄ信号の通信用に指定された少なくとも１つの無線フレームを識別する情報を入手するための手段と、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するための傾聴手段と、
前記傾聴手段によって、Ｄ２Ｄ信号が伝送される予定であるという表示が前記少なくとも１つの無線フレーム内に存在することが分かった際に、前記他の少なくとも１つの通信デバイスからＤ２Ｄ信号を受信するための手段と
を備える、通信デバイス。
【請求項２】
Ｄ２Ｄ信号が伝送される予定であるという前記表示は、他の少なくとも１つの通信デバイスによってＤ２Ｄ信号の伝送用に割り当てられた通信リソース、および、他の少なくとも１つの通信デバイスによってＤ２Ｄ信号の伝送用に指定された少なくとも１つのサブフレーム、の少なくとも１つを識別する、請求項１に記載の通信デバイス。
【請求項３】
Ｄ２Ｄ信号が伝送される予定であるという前記表示は、少なくとも１つのサブフレームを識別し、前記少なくとも１つのサブフレームは、事前に定義された数のサブフレームを含む、請求項２に記載の通信デバイス。
【請求項４】
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
Ｄ２Ｄ信号の通信用に指定された少なくとも１つの無線フレームを識別する情報を入手するための手段と、
前記通信デバイス付近の前記他の少なくとも１つの通信デバイスへの前記通信デバイスによるＤ２Ｄ信号の伝送用の少なくとも１つの通信リソースの割り当てを要求するための要求手段と、
前記指定された少なくとも１つの無線フレーム内で前記Ｄ２Ｄ信号の前記通信用に割り当てられた通信リソースを識別する情報を受信するための手段と、
付近の前記他の少なくとも１つの通信デバイスが受信するため、前記指定された少なくとも１つの無線フレームで前記割り当てられた通信リソースを使用して、Ｄ２Ｄ信号を伝送するための手段と
を備える、通信デバイス。
【請求項５】
前記要求手段は、アップリンクチャネル（例えば、物理アップリンク共有チャネルまたは「ＰＵＳＣＨ」）上で信号メッセージを基地局に送信することによって、前記少なくとも１つの通信リソースの前記割り当てを要求するように動作可能である、請求項４に記載の通信デバイス。
【請求項６】
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
セルを操作するための手段と、
前記通信デバイスの少なくとも１つによってＤ２Ｄ信号の通信用に指定された少なくとも１つの無線フレームを識別する情報を、前記セル内で、前記通信デバイスの他の少なくとも１つに伝送する伝送手段と、
第１の通信デバイス付近の他の少なくとも１つの通信デバイスへの前記第１の通信デバイスによるＤ２Ｄ信号の伝送用の少なくとも１つの通信リソースの割り当てに対する要求を受信する受信手段と
を備え、
前記伝送手段は、
前記要求に応答して、前記指定された少なくとも１つの無線フレーム内で前記Ｄ２Ｄ信号の前記通信用に割り当てられた通信リソースを識別する情報を、前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように構成される、装置。
【請求項７】
前記受信手段は、前記第１の通信デバイスから、アップリンクチャネル（例えば、物理アップリンク共有チャネルまたは「ＰＵＳＣＨ」）上で少なくとも１つの信号メッセージを受信することによって前記要求を受信するように動作可能である、請求項６に記載の装置。
【請求項８】
前記受信手段は、前記第１の通信デバイスから、少なくとも１つのメディアアクセス制御、ＭＡＣ、制御要素、ＣＥ、（例えば、「Ｄ２Ｄリソース要求」ＣＥまたは「発見リソース要求」ＣＥ）を受信することによって前記要求を受信するように動作可能である、請求項６または７に記載の装置。
【請求項９】
前記少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかける、請求項８に記載の装置。
【請求項１０】
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
プロセッサとトランシーバとを備え、
前記プロセッサは、
前記通信デバイス付近の前記他の少なくとも１つの通信デバイスによってＤ２Ｄ信号の通信用に指定された少なくとも１つの無線フレームを識別する情報を入手する
ように構成され、
前記トランシーバは、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴し、
Ｄ２Ｄ信号が伝送される予定であるという表示が前記少なくとも１つの無線フレーム内に存在することが分かった際に、前記他の少なくとも１つの通信デバイスからＤ２Ｄ信号を受信する
ように構成される、通信デバイス。
【請求項１１】
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
プロセッサとトランシーバとを備え、
前記プロセッサは、
Ｄ２Ｄ信号の通信用に指定された少なくとも１つの無線フレームを識別する情報を入手する
ように構成され、
前記トランシーバは、
前記通信デバイス付近の前記他の少なくとも１つの通信デバイスへの前記通信デバイスによるＤ２Ｄ信号の伝送用の少なくとも１つの通信リソースの割り当てを要求し、
前記指定された少なくとも１つの無線フレーム内で前記Ｄ２Ｄ信号の前記通信用に割り当てられた通信リソースを識別する情報を受信し、
付近の前記他の少なくとも１つの通信デバイスが受信するため、前記指定された少なくとも１つの無線フレームで前記割り当てられた通信リソースを使用して、Ｄ２Ｄ信号を伝送する
ように構成される、通信デバイス。
【請求項１２】
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
プロセッサとトランシーバとを備え、
前記トランシーバは、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送し、
第１の通信デバイス付近の他の少なくとも１つの通信デバイスへの前記第１の通信デバイスによるＤ２Ｄ信号の伝送用の少なくとも１つの通信リソースの割り当てに対する要求を受信し、
前記要求に応答して、前記指定された少なくとも１つの無線フレーム内で前記Ｄ２Ｄ信号の前記通信用に割り当てられた通信リソースを識別する情報を前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように動作可能である、装置。
【請求項１３】
複数のシステムフレームを使用する通信システムにおける他の少なくとも１つの通信デバイスから直接、デバイス間、Ｄ２Ｄ、通信を受信するための通信デバイスによって実行される方法であって、各システムフレームは、複数の無線フレームに細分され、各無線フレームは、複数のサブフレームに細分され、各サブフレームは、複数の通信リソースを含む、方法において、
前記通信デバイス付近の前記他の少なくとも１つの通信デバイスによってＤ２Ｄ信号の通信用に指定された少なくとも１つの無線フレームを識別する情報を入手するステップと、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するステップと、
前記傾聴の間に、Ｄ２Ｄ信号が伝送される予定であるという表示が前記少なくとも１つの無線フレーム内に存在することが分かった際に、前記他の少なくとも１つの通信デバイスからＤ２Ｄ信号を受信するステップと
を含む、方法。
【請求項１４】
複数のシステムフレームを使用する通信システムにおける他の少なくとも１つの通信デバイスが受信するためのデバイス間、Ｄ２Ｄ、通信を伝送するための通信デバイスによって実行される方法であって、各システムフレームは、複数の無線フレームに細分され、各無線フレームは、複数のサブフレームに細分され、各サブフレームは、複数の通信リソースに細分される、方法において、
Ｄ２Ｄ信号の通信用に指定された少なくとも１つの無線フレームを識別する情報を入手するステップと、
前記通信デバイス付近の前記他の少なくとも１つの通信デバイスへの前記通信デバイスによるＤ２Ｄ信号の伝送用の少なくとも１つの通信リソースの割り当てを要求するステップと、
前記指定された少なくとも１つの無線フレーム内で前記Ｄ２Ｄ信号の前記通信用に割り当てられた通信リソースを識別する情報を受信するステップと、
付近の前記他の少なくとも１つの通信デバイスが受信するため、前記指定された少なくとも１つの無線フレームで前記割り当てられた通信リソースを使用して、Ｄ２Ｄ信号を伝送するステップと
を含む、方法。
【請求項１５】
複数のシステムフレームを使用する通信システムにおける通信デバイス間のデバイス間、Ｄ２Ｄ、直接通信を制御するための装置によって実行される方法であって、各システムフレームは、複数の無線フレームに細分され、各無線フレームは、複数のサブフレームに細分され、各サブフレームは、複数の通信リソースに細分される、方法において、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送するステップと、
第１の通信デバイス付近の他の少なくとも１つの通信デバイスへの前記第１の通信デバイスによるＤ２Ｄ信号の伝送用の少なくとも１つの通信リソースの割り当てに対する要求を受信するステップと、
前記要求に応答して、前記指定された少なくとも１つの無線フレーム内で前記Ｄ２Ｄ信号の前記通信用に割り当てられた通信リソースを識別する情報を前記第１の通信デバイスに伝送するステップと、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するステップと
を含む、方法。
【請求項１６】
請求項１３〜１５のいずれか一項に記載の方法をプログラマブル通信デバイスに実行させるためのプログラム。
【手続補正２】
【補正対象書類名】明細書
【補正対象項目名】発明の名称
【補正方法】変更
【補正の内容】
【発明の名称】通信デバイス、装置、方法、プログラム
【手続補正３】
【補正対象書類名】明細書
【補正対象項目名】０１４４
【補正方法】変更
【補正の内容】
【０１４４】
この出願は、その開示はその全体が参照により本明細書に組み込まれる、２０１３年９月１１日に出願された英国特許出願第１３１６２０２．９号明細書からの優先権の利益に基づき、同優先権の利益を主張する。
上記実施形態の一部又は全部は、以下の付記のようにも記載されうるが、以下には限られない。
（付記１）
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
前記通信デバイス付近の前記他の少なくとも１つの通信デバイスによってＤ２Ｄ信号の通信用に指定された少なくとも１つの無線フレームを識別する情報を入手するための手段と、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するための手段と、
前記傾聴手段によって、Ｄ２Ｄ信号が伝送される予定であるという表示が前記少なくとも１つの無線フレーム内に存在することが分かった際に、前記他の少なくとも１つの通信デバイスからＤ２Ｄ信号を受信するための手段と
を備える、通信デバイス。
（付記２）
Ｄ２Ｄ信号が伝送される予定であるという前記表示は、他の少なくとも１つの通信デバイスによってＤ２Ｄ信号の伝送用に割り当てられた通信リソース、および、他の少なくとも１つの通信デバイスによってＤ２Ｄ信号の伝送用に指定された少なくとも１つのサブフレーム、の少なくとも１つを識別する、付記１に記載の通信デバイス。
（付記３）
Ｄ２Ｄ信号が伝送される予定であるという前記表示は、少なくとも１つのサブフレームを識別し、前記少なくとも１つのサブフレームは、事前に定義された数のサブフレームを含む、付記２に記載の通信デバイス。
（付記４）
Ｄ２Ｄ信号が伝送される予定であるという前記表示は、現在の無線フレーム、または、前記現在の無線フレームおよび少なくとも１つの後続の無線フレームを含む連続無線フレームセットにおいて、前記他の少なくとも１つの通信デバイスによってＤ２Ｄ信号の伝送用に割り当てられた通信リソースを識別する、付記２または３に記載の通信デバイス。
（付記５）
前記連続無線フレームセットは、事前に定義された数の無線フレームを含む、付記４に記載の通信デバイス。
（付記６）
Ｄ２Ｄ信号が伝送される予定であるという前記表示は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含む、付記２〜５のいずれか一項に記載の通信デバイス。
（付記７）
Ｄ２Ｄ信号が伝送される予定であるという前記表示は、他の複数の通信デバイスの各々に対し、その通信デバイスによってＤ２Ｄ信号の伝送用に割り当てられたそれぞれの通信リソース、および、その通信デバイスによってＤ２Ｄ信号の伝送用に指定された少なくとも１つのそれぞれのサブフレーム、の少なくとも１つを識別する、付記２〜６のいずれか一項に記載の通信デバイス。
（付記８）
前記入手手段は、基地局からブロードキャスト信号（例えば、システム情報ブロードキャスト信号）または専用信号（例えば、無線リソース制御、ＲＲＣ、信号）を受信することによって、指定された少なくとも１つの無線フレームを識別する前記情報を入手するように動作可能である、付記１〜７のいずれか一項に記載の通信デバイス。
（付記９）
前記傾聴手段は、前記指定された少なくとも１つの無線フレームの間、信号ブロードキャスト（例えば、基地局による）内で、Ｄ２Ｄ信号が伝送される予定であるという前記表示を受信するように動作可能である、付記１〜８のいずれか一項に記載の通信デバイス。
（付記１０）
前記傾聴手段は、ダウンリンク共有チャネル（例えば、物理ダウンリンク共有チャネルまたは「ＰＤＳＣＨ」）上で前記表示を受信するように動作可能である、付記１〜９のいずれか一項に記載の通信デバイス。
（付記１１）
前記傾聴手段は、ダウンリンク制御チャネル（例えば、物理ダウンリンク制御チャネルまたは「ＰＤＣＣＨ」）上で前記表示を受信するように動作可能である、付記１〜１０のいずれか一項に記載の通信デバイス。
（付記１２）
前記入手手段は、前記通信システムに対する識別子（例えば、発見／Ｄ２Ｄ無線ネットワーク識別子）を入手するように動作可能であり、前記表示には、前記通信システムに対する前記識別子によってスクランブルをかける、付記１〜１１のいずれか一項に記載の通信デバイス。
（付記１３）
特定のシステムフレームの各無線フレームは、インデックス番号（例えば、システムフレームインデックス番号または「ＳＦＮ」インデックス）によって一意的に識別し、Ｄ２Ｄ信号の通信用に指定された前記少なくとも１つの無線フレームを識別する前記情報は、指定された無線フレームの各々に対するそれぞれのインデックス番号を識別する情報を含む、付記１〜１２のいずれか一項に記載の通信デバイス。
（付記１４）
それぞれのインデックス番号を識別する前記情報は、Ｄ２Ｄ信号の通信用に指定された無線フレームの各々を識別するためのフレームパターン（例えば、発見／Ｄ２Ｄフレームパターン）を識別する情報を含む、付記１３に記載の通信デバイス。
（付記１５）
前記傾聴手段は、Ｄ２ＤアイドルモードまたはＤ２Ｄアクティブモードで選択的に動作したり、Ｄ２Ｄ信号の通信用に指定された前記少なくとも１つの無線フレームの間、前記Ｄ２Ｄアクティブモードに切り替えたりするように構成される、付記１〜１４のいずれか一項に記載の通信デバイス。
（付記１６）
前記入手手段は、前記通信デバイスが属する通信デバイスグループを一意的に識別する情報を入手するように動作可能である、付記１〜１５のいずれか一項に記載の通信デバイス。
（付記１７）
前記表示には、前記グループを一意的に識別する前記情報によってスクランブルをかける、付記１６に記載の通信デバイス。
（付記１８）
Ｄ２Ｄ信号の通信用に指定された前記少なくとも１つの無線フレームは、前記グループの前記通信デバイスによるＤ２Ｄ信号の通信のために確保される、付記１６または１７に記載の通信デバイス。
（付記１９）
前記Ｄ２Ｄ信号は、前記他の少なくとも１つの通信デバイスが前記通信デバイス付近にあることを示す発見信号を含む、付記１〜１８のいずれか一項に記載の通信デバイス。
（付記２０）
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
Ｄ２Ｄ信号の通信用に指定された少なくとも１つの無線フレームを識別する情報を入手するための手段と、
前記通信デバイス付近の前記他の少なくとも１つの通信デバイスへの前記通信デバイスによるＤ２Ｄ信号の伝送用の少なくとも１つの通信リソースの割り当てを要求するための手段と、
前記指定された少なくとも１つの無線フレーム内で前記Ｄ２Ｄ信号の前記通信用に割り当てられた通信リソースを識別する情報を受信するための手段と、
付近の前記他の少なくとも１つの通信デバイスが受信するため、前記指定された少なくとも１つの無線フレームで前記割り当てられた通信リソースを使用して、Ｄ２Ｄ信号を伝送するための手段と
を備える、通信デバイス。
（付記２１）
前記要求手段は、アップリンクチャネル（例えば、物理アップリンク共有チャネルまたは「ＰＵＳＣＨ」）上で信号メッセージを基地局に送信することによって、前記少なくとも１つの通信リソースの前記割り当てを要求するように動作可能である、付記２０に記載の通信デバイス。
（付記２２）
前記要求手段は、少なくとも１つのメディアアクセス制御、ＭＡＣ、制御要素、ＣＥ（例えば、「Ｄ２Ｄリソース要求」ＣＥまたは「発見リソース要求」ＣＥ）を基地局に送信することによって、前記少なくとも１つの通信リソースの前記割り当てを要求するように動作可能である、付記２０または２１に記載の通信デバイス。
（付記２３）
前記少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記２２に記載の通信デバイス。
（付記２４）
前記受信手段は、ダウンリンクチャネル（例えば、物理ダウンリンク制御チャネル、ＰＤＣＣＨ、または物理ダウンリンク共有チャネル、ＰＤＳＣＨ）を介して基地局から制御情報を受信するように動作可能であり、前記制御情報は、前記Ｄ２Ｄ信号の前記通信用に割り当てられた通信リソースを識別する前記情報を含む、付記２０〜２３のいずれか一項に記載の通信デバイス。
（付記２５）
前記制御情報は、少なくとも１つのダウンリンク制御情報、ＤＣＩ、フォーマットパラメータを含む、付記２４に記載の通信デバイス。
（付記２６）
前記少なくとも１つのＤＣＩフォーマットパラメータには、前記通信システムにおける前記通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記２５に記載の通信デバイス。
（付記２７）
前記制御情報は、少なくとも１つのＭＡＣ  ＣＥ（例えば、「Ｄ２Ｄリソース応答」ＣＥまたは「発見リソース応答」ＣＥ）を含む、付記２４に記載の通信デバイス。
（付記２８）
前記少なくとも１つのＭＡＣ  ＣＥには、前記通信システムにおける前記通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記２７に記載の通信デバイス。
（付記２９）
前記伝送手段は、付近の前記他の少なくとも１つの通信デバイスが受信するため、アップリンクチャネル（例えば、物理アップリンク共有チャネルまたは「ＰＵＳＣＨ」）上で、前記Ｄ２Ｄ信号を伝送するように動作可能である、付記２０〜２８のいずれか一項に記載の通信デバイス。
（付記３０）
前記指定された少なくとも１つの無線フレームは、現在の無線フレーム、または、前記現在の無線フレームおよび少なくとも１つの後続の無線フレームを含む連続無線フレームセット、を含む、付記２０〜２９のいずれか一項に記載の通信デバイス。
（付記３１）
前記通信システムに対する識別子（例えば、発見／Ｄ２Ｄ無線ネットワーク識別子）を入手するための手段をさらに備え、前記Ｄ２Ｄ信号には、前記通信システムに対する前記識別子によってスクランブルをかける、付記２０〜３０のいずれか一項に記載の通信デバイス。
（付記３２）
前記通信システムに対する前記識別子は、前記通信デバイスに一意的に割り当てられたオフセットパラメータを含む、付記３１に記載の通信デバイス。
（付記３３）
前記Ｄ２Ｄ信号の前記通信用に割り当てられた通信リソースを識別する情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含む、付記２０〜３２のいずれか一項に記載の通信デバイス。
（付記３４）
前記Ｄ２Ｄ信号は、前記通信デバイス付近の前記他の少なくとも１つの通信デバイスに前記通信デバイスのプレゼンスを示すための発見信号を含む、付記２０〜３３のいずれか一項に記載の通信デバイス。
（付記３５）
ロングタームエボリューション、ＬＴＥ、規格による、携帯電話、タブレットコンピュータおよび他のユーザ機器の少なくとも１つを含む、付記１〜３４のいずれか一項に記載の通信デバイス。
（付記３６）
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
セルを操作するための手段と、
前記通信デバイスの少なくとも１つによってＤ２Ｄ信号の通信用に指定された少なくとも１つの無線フレームを識別する情報を、前記セル内で、前記通信デバイスの他の少なくとも１つに伝送する手段と、
第１の通信デバイス付近の他の少なくとも１つの通信デバイスへの前記第１の通信デバイスによるＤ２Ｄ信号の伝送用の少なくとも１つの通信リソースの割り当てに対する要求を受信する手段と
を備え、
前記伝送手段は、
前記要求に応答して、前記指定された少なくとも１つの無線フレーム内で前記Ｄ２Ｄ信号の前記通信用に割り当てられた通信リソースを識別する情報を、前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように構成される、装置。
（付記３７）
前記受信手段は、前記第１の通信デバイスから、アップリンクチャネル（例えば、物理アップリンク共有チャネルまたは「ＰＵＳＣＨ」）上で少なくとも１つの信号メッセージを受信することによって前記要求を受信するように動作可能である、付記３６に記載の装置。
（付記３８）
前記受信手段は、前記第１の通信デバイスから、少なくとも１つのメディアアクセス制御、ＭＡＣ、制御要素、ＣＥ、（例えば、「Ｄ２Ｄリソース要求」ＣＥまたは「発見リソース要求」ＣＥ）を受信することによって前記要求を受信するように動作可能である、付記３６または３７に記載の装置。
（付記３９）
前記少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記３８に記載の装置。
（付記４０）
前記伝送手段は、前記割り当てられた通信リソースを識別する少なくとも１つのダウンリンク制御情報、ＤＣＩ、フォーマットパラメータを前記通信デバイスの前記少なくとも１つに送信することによって、前記Ｄ２Ｄ信号の前記通信用に割り当てられた通信リソースを識別する前記情報を伝送するように動作可能である、付記３６〜３９のいずれか一項に記載の装置。
（付記４１）
前記少なくとも１つのＤＣＩフォーマットパラメータには、前記通信システムにおける前記第１の通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記４０に記載の装置。
（付記４２）
前記伝送手段は、少なくとも１つのＭＡＣ  ＣＥ（例えば、「Ｄ２Ｄリソース応答」ＣＥまたは「発見リソース応答」ＣＥ）を前記通信デバイスの前記少なくとも１つに送信することによって、前記Ｄ２Ｄ信号の前記通信用に割り当てられた通信リソースを識別する前記情報を伝送するように動作可能である、付記３６〜４１のいずれか一項に記載の装置。
（付記４３）
前記少なくとも１つのＭＡＣ  ＣＥには、前記通信システムにおける前記第１の通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記４２に記載の装置。
（付記４４）
前記少なくとも１つの割り当てられた通信リソースは、アップリンクチャネル（例えば、物理アップリンク共有チャネルまたは「ＰＵＳＣＨ」）で割り当てられた通信リソースを含む、付記３６〜４３のいずれか一項に記載の装置。
（付記４５）
前記伝送手段は、ダウンリンクチャネル（例えば、物理ダウンリンク制御チャネル、ＰＤＣＣＨ、または物理ダウンリンク共有チャネル、ＰＤＳＣＨ）上で前記表示を伝送するように動作可能である、付記３６〜４４のいずれか一項に記載の装置。
（付記４６）
前記少なくとも１つの割り当てられた通信リソースは、現在の無線フレーム、または、前記現在の無線フレームおよび少なくとも１つの後続の無線フレームを含む連続無線フレームセット、の通信リソースを含む、付記３６〜４５のいずれか一項に記載の装置。
（付記４７）
前記伝送手段は、前記通信システムに対する識別子（例えば、発見／Ｄ２Ｄ無線ネットワーク識別子）を使用して前記Ｄ２Ｄ信号にスクランブルをかけるため、前記通信システムに対する前記識別子を前記通信デバイスに伝送するように動作可能である、付記３６〜４６のいずれか一項に記載の装置。
（付記４８）
前記通信システムに対する前記識別子は、各通信デバイスに一意的に割り当てられたそれぞれのオフセットパラメータを含む、付記４７に記載の装置。
（付記４９）
前記Ｄ２Ｄ信号の前記通信用に割り当てられた通信リソースを識別する前記情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを一意的に識別するパラメータセットの表示を含む、付記３６〜４８のいずれか一項に記載の装置。
（付記５０）
前記伝送手段は、前記他の少なくとも１つの通信デバイスに、ブロードキャスト信号（例えば、システム情報ブロードキャスト信号）または専用信号（例えば、無線リソース制御、ＲＲＣ、信号）を伝送することによって、前記表示を伝送するように動作可能である、付記３６〜４９のいずれか一項に記載の装置。
（付記５１）
前記伝送手段は、Ｄ２Ｄ信号の通信用に指定された前記少なくとも１つの無線フレームの間、ブロードキャスト信号を伝送することによって、前記表示を伝送するように動作可能である、付記３６〜５０のいずれか一項に記載の装置。
（付記５２）
前記伝送手段は、ダウンリンク共有チャネル（例えば、物理ダウンリンク共有チャネルまたは「ＰＤＳＣＨ」）上で前記表示を伝送するように動作可能である、付記３６〜５１のいずれか一項に記載の装置。
（付記５３）
前記伝送手段は、ダウンリンク制御チャネル（例えば、物理ダウンリンク制御チャネルまたは「ＰＤＣＣＨ」）上で前記表示を伝送するように動作可能である、付記３６〜５２のいずれか一項に記載の装置。
（付記５４）
前記伝送手段は、前記通信システムに対する識別子（例えば、発見／Ｄ２Ｄ無線ネットワーク識別子）を伝送するように動作可能であり、前記表示には、前記通信システムに対する前記識別子によってスクランブルをかける、付記３６〜５３のいずれか一項に記載の装置。
（付記５５）
特定のシステムフレームの各無線フレームは、インデックス番号（例えば、システムフレームインデックス番号または「ＳＦＮ」インデックス）によって一意的に識別し、Ｄ２Ｄ信号の通信用に指定された前記少なくとも１つの無線フレームを識別する前記情報は、指定された無線フレームの各々に対するそれぞれのインデックス番号を識別する情報を含む、付記３６〜５４のいずれか一項に記載の装置。
（付記５６）
それぞれのインデックス番号を識別する前記情報は、Ｄ２Ｄ信号の通信用に指定された無線フレームの各々を識別するためのフレームパターン（例えば、発見／Ｄ２Ｄフレームパターン）を識別する情報を含む、付記５５に記載の装置。
（付記５７）
前記表示は、Ｄ２Ｄ信号の通信用に指定された前記少なくとも１つの無線フレームの少なくとも１つのサブフレームを識別する、付記３６〜５６のいずれか一項に記載の装置。
（付記５８）
前記少なくとも１つのサブフレームセットは、事前に定義された数のサブフレームを含む、付記５７に記載の装置。
（付記５９）
前記指定された少なくとも１つの無線フレームは、現在の無線フレーム、または、前記現在の無線フレームおよび少なくとも１つの後続の無線フレームを含む連続無線フレームセット、を含む、付記３６〜５８のいずれか一項に記載の装置。
（付記６０）
前記連続無線フレームセットは、事前に定義された数の無線フレームを含む、付記５９に記載の装置。
（付記６１）
前記表示は、前記第１の通信デバイスによってＤ２Ｄ信号の前記伝送用に割り当てられた特定の通信リソースを識別する、付記３６〜６０のいずれか一項に記載の装置。
（付記６２）
特定の通信リソースの前記表示は、無線フレーム識別子（例えば、無線フレームインデックス番号または「ＳＦＮ」）、サブフレーム識別子（例えば、サブフレームインデックス番号）、リソースブロック識別子、および、前記第１の通信デバイスによる前記Ｄ２Ｄ信号の伝送の間に使用される予定の伝送電力の特性、の少なくとも１つを含む、付記６１に記載の装置。
（付記６３）
前記伝送手段は、前記第１の通信デバイスおよび前記他の少なくとも１つの通信デバイスが属する通信デバイスグループを一意的に識別する情報を伝送するように動作可能である、付記３６〜６２のいずれか一項に記載の装置。
（付記６４）
前記表示には、前記グループを一意的に識別する前記情報によってスクランブルをかける、付記６３に記載の装置。
（付記６５）
Ｄ２Ｄ信号の通信用に指定された前記少なくとも１つの無線フレームは、前記グループの前記通信デバイスによるＤ２Ｄ信号の通信のために確保される、付記６３または６４に記載の装置。
（付記６６）
前記Ｄ２Ｄ信号は、第１の通信デバイス付近の他の少なくとも１つの通信デバイスに前記第１の通信デバイスのプレゼンスを示すための発見信号を含む、付記３６〜６５のいずれか一項に記載の装置。
（付記６７）
ロングタームエボリューション、ＬＴＥ、規格による、基地局およびユーザ機器（例えば、クラスタヘッドユーザ機器）の少なくとも１つを含む、付記３６〜６６のいずれか一項に記載の装置。
（付記６８）
付記１〜３５のいずれか一項に記載の少なくとも１つの通信デバイスと、付記３６〜６７のいずれか一項に記載の装置とを備えるシステム。
（付記６９）
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
プロセッサとトランシーバとを備え、
前記プロセッサは、
前記通信デバイス付近の前記他の少なくとも１つの通信デバイスによってＤ２Ｄ信号の通信用に指定された少なくとも１つの無線フレームを識別する情報を入手する
ように構成され、
前記トランシーバは、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴し、
Ｄ２Ｄ信号が伝送される予定であるという表示が前記少なくとも１つの無線フレーム内に存在することが分かった際に、前記他の少なくとも１つの通信デバイスからＤ２Ｄ信号を受信する
ように構成される、通信デバイス。
（付記７０）
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
プロセッサとトランシーバとを備え、
前記プロセッサは、
Ｄ２Ｄ信号の通信用に指定された少なくとも１つの無線フレームを識別する情報を入手する
ように構成され、
前記トランシーバは、
前記通信デバイス付近の前記他の少なくとも１つの通信デバイスへの前記通信デバイスによるＤ２Ｄ信号の伝送用の少なくとも１つの通信リソースの割り当てを要求し、
前記指定された少なくとも１つの無線フレーム内で前記Ｄ２Ｄ信号の前記通信用に割り当てられた通信リソースを識別する情報を受信し、
付近の前記他の少なくとも１つの通信デバイスが受信するため、前記指定された少なくとも１つの無線フレームで前記割り当てられた通信リソースを使用して、Ｄ２Ｄ信号を伝送する
ように構成される、通信デバイス。
（付記７１）
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
プロセッサとトランシーバとを備え、
前記トランシーバは、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送し、
第１の通信デバイス付近の他の少なくとも１つの通信デバイスへの前記第１の通信デバイスによるＤ２Ｄ信号の伝送用の少なくとも１つの通信リソースの割り当てに対する要求を受信し、
前記要求に応答して、前記指定された少なくとも１つの無線フレーム内で前記Ｄ２Ｄ信号の前記通信用に割り当てられた通信リソースを識別する情報を前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように動作可能である、装置。
（付記７２）
複数のシステムフレームを使用する通信システムにおける他の少なくとも１つの通信デバイスから直接、デバイス間、Ｄ２Ｄ、通信を受信するための通信デバイスによって実行される方法であって、各システムフレームは、複数の無線フレームに細分され、各無線フレームは、複数のサブフレームに細分され、各サブフレームは、複数の通信リソースを含む、方法において、
前記通信デバイス付近の前記他の少なくとも１つの通信デバイスによってＤ２Ｄ信号の通信用に指定された少なくとも１つの無線フレームを識別する情報を入手するステップと、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するステップと、
前記傾聴の間に、Ｄ２Ｄ信号が伝送される予定であるという表示が前記少なくとも１つの無線フレーム内に存在することが分かった際に、前記他の少なくとも１つの通信デバイスからＤ２Ｄ信号を受信するステップと
を含む、方法。
（付記７３）
複数のシステムフレームを使用する通信システムにおける他の少なくとも１つの通信デバイスが受信するためのデバイス間、Ｄ２Ｄ、通信を伝送するための通信デバイスによって実行される方法であって、各システムフレームは、複数の無線フレームに細分され、各無線フレームは、複数のサブフレームに細分され、各サブフレームは、複数の通信リソースに細分される、方法において、
Ｄ２Ｄ信号の通信用に指定された少なくとも１つの無線フレームを識別する情報を入手するステップと、
前記通信デバイス付近の前記他の少なくとも１つの通信デバイスへの前記通信デバイスによるＤ２Ｄ信号の伝送用の少なくとも１つの通信リソースの割り当てを要求するステップと、
前記指定された少なくとも１つの無線フレーム内で前記Ｄ２Ｄ信号の前記通信用に割り当てられた通信リソースを識別する情報を受信するステップと、
付近の前記他の少なくとも１つの通信デバイスが受信するため、前記指定された少なくとも１つの無線フレームで前記割り当てられた通信リソースを使用して、Ｄ２Ｄ信号を伝送するステップと
を含む、方法。
（付記７４）
複数のシステムフレームを使用する通信システムにおける通信デバイス間のデバイス間、Ｄ２Ｄ、直接通信を制御するための装置によって実行される方法であって、各システムフレームは、複数の無線フレームに細分され、各無線フレームは、複数のサブフレームに細分され、各サブフレームは、複数の通信リソースに細分される、方法において、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送するステップと、
第１の通信デバイス付近の他の少なくとも１つの通信デバイスへの前記第１の通信デバイスによるＤ２Ｄ信号の伝送用の少なくとも１つの通信リソースの割り当てに対する要求を受信するステップと、
前記要求に応答して、前記指定された少なくとも１つの無線フレーム内で前記Ｄ２Ｄ信号の前記通信用に割り当てられた通信リソースを識別する情報を前記第１の通信デバイスに伝送するステップと、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するステップと
を含む、方法。
（付記７５）
付記７２〜７４のいずれか一項に記載の方法をプログラマブル通信デバイスに実行させるためのコンピュータ実装可能命令を含むコンピュータ実装可能命令製品。